(57)【要約】【課題】省スペースで配設可能であるとともに、操作性や意匠性が向上される操作スイッチ付レジスタを提供する。【解決手段】操作スイッチ付レジスタを、空調用空気の流路および吹き出し開口を構成する円筒状基体とフィン部材とを有するレジスタ部と、円筒状基体の同軸上の外周側に配置され円筒状基体の外周に表出するリング状の表出部をもち少なくとも表出部が円筒状基体の周囲を回動する回動ベゼル部と、別設された機能装置と接続されるスイッチ部と、から構成し、回動ベゼル部に設けられた変位部の回動ベゼル部の回動に伴なう変位によってスイッチ部の切り替え駆動をおこなう。回転ベゼル部とレジスタとは見かけ上一体的に配設されることとなり、インストルメントパネル上の見切り線を削減することができ、また、インストルメントパネル上の配置スペースを小さくすることができるため意匠性が向上される。また、レジスタの操作とスイッチの切り替え駆動操作とを近接した位置でおこなうことが可能となり、操作性が良好になる。【選択図】図１
2004090830.tif 000002
【特許請求の範囲】
【請求項１】
空調用空気の流路および吹き出し開口を構成する円筒状基体と該円筒状基体の内部に配置され該円筒状基体に対して回動自在に枢支されるフィン部材とを有するレジスタ部と、該円筒状基体の同軸上の外周側に配置され該円筒状基体の外周に表出するリング状の表出部をもち少なくとも表出部が該円筒状基体の周囲を回動する回動ベゼル部と、別設された機能装置と電気的あるいは機械的に接続されるスイッチ部と、を有し、
該回動ベゼル部の非表出部には該回動ベゼル部の回動に伴って変位する変位部をもち、該スイッチ部は該変位部の変位によって切り替え駆動されることを特徴とする操作スイッチ付レジスタ。
【請求項２】
前記変位部は前記回動ベゼル部の裏面側に周状に設けられたラックであり、前記スイッチ部は該ラックと直接的あるいは間接的に噛合するピニオン部を有する請求項１に記載の操作スイッチ付レジスタ。
【請求項３】
前記変位部は前記回動ベゼル部の裏面側に突出する突起であり、前記スイッチ部は該突起と係合する請求項１に記載の操作スイッチ付レジスタ。
【請求項４】
前記回動ベゼル部は前記表出部の裏面側に突出する筒部をもち、前記変位部は筒部の外周に螺旋状に設けられたガイドレールであり、前記スイッチ部は該ガイドレールと係合し往復運動する操作端を有するスライドスイッチである請求項１に記載の操作スイッチ付レジスタ。
【発明の詳細な説明】
【０００１】
【発明の属する技術分野】本発明は、車両室内に配置され、空調用空気の流路を構成するレジスタに関し、詳しくはレジスタより吹出される空調用空気の風量，吹出口の選択，温度等の通風条件の調節をする機能装置の操作をおこなうことのできる操作スイッチが設けられた操作スイッチ付レジスタに関する。
【０００２】
【従来の技術】
従来より車両室内には種々のレジスタが配設されている。このレジスタは、通常、吹き出し開口が車室内に表出するようにインストルメントパネルに埋設されたものであり、この吹き出し開口より車室内へ空調用空気の通風をおこなうものである。一方、車両に配設されるエアコンもまたこのレジスタに連通され、エアコンより供給される冷風や温風もまたこのレジスタより車室内に供給される。このエアコンの風量や温度，あるいはレジスタの開閉の選択等をおこなうための操作スイッチは、従来インストルメントパネルにレジスタとは別に配設されている。
【０００３】
ここで、車室内の空間は限られたものであり、インストルメントパネルもまた限られた表出面を有するものである。近年ではこのインストルメントパネルにはナビゲーションシステムのモニタ等種々の装置が配設されるため、限られた表出面を有するインストルメントパネルに好適に配設することは困難であり、個々の装置に対する小型化の要求が高まっている。また、インストルメントパネルに多くの装置を別々に配設すると、インストルメントパネルに各々の装置の見切り線が発生することになり、車室内の意匠を損なう問題もあった。
【０００４】
また、従来のレジスタには、エア吹出口をもった円筒状パネルにダンパを配設し、このダンパによって、通風状態では風向調整をおこないシャット状態では通風口の閉塞をおこなうものもある（例えば、特許文献１参照。）。しかし、このようなレジスタで調整可能であるのは風向と風量のみであり、上述した温度の調節や連結されるレジスタの選択等をおこなう操作スイッチを別途設ける必要があった。この場合、上述と同様にインストルメントパネルに配設スペースが必要となる問題があった。
【０００５】
また、レジスタの風向調節は、通常、レジスタに設けられている風向調節羽根を手動にて作動させることでおこなわれるが、操作スイッチをレジスタと別に配設する場合、通風装置、すなわちレジスタやエアコンを操作するのに操作スイッチによる操作とレジスタの手動操作との２種類の操作を離れた位置で各々おこなう必要があり、操作性に劣る問題もあった。
【０００６】
【特許文献１】
特公昭６３−３４３７８９号公報
【０００７】
【発明が解決しようとする課題】
本発明は上記事情を考慮してなされたもので、省スペースで配設可能であるとともに、操作性や意匠性が向上される操作スイッチ付レジスタを提供することを目的とする。
【０００８】
【課題を解決するための手段】
前記課題を解決する本発明の操作スイッチ付レジスタは、空調用空気の流路および吹き出し開口を構成する円筒状基体と該円筒状基体の内部に配置され該円筒状基体に対して回動自在に枢支されるフィン部材とを有するレジスタ部と、該円筒状基体の同軸上の外周側に配置され該円筒状基体の外周に表出するリング状の表出部をもち少なくとも表出部が該円筒状基体の周囲を回動する回動ベゼル部と、別設された機能装置と電気的あるいは機械的に接続されるスイッチ部と、を有し、該回動ベゼル部の非表出部には該回動ベゼル部の回動に伴って変位する変位部をもち、該スイッチ部は該変位部の変位によって切り替え駆動されることを特徴とする。
【０００９】
本発明の操作スイッチ付レジスタによると、スイッチ部の切り替え駆動を回転ベゼル部の回動によっておこなうことができ、かつ、この回転ベゼル部はレジスタの外周に配置される。このため、回転ベゼル部とレジスタとは見かけ上一体的に配設されることとなり、インストルメントパネル上の見切り線が削減されることとなる。また、回転ベゼル部とレジスタとは見かけ上一体的に配設されることから操作スイッチとレジスタとを別々に配設する場合と比べてインストルメントパネル上の配置スペースは小さいものとなる。さらに、レジスタの外周に回転ベゼル部が配置されることでレジスタの操作とスイッチの切り替え駆動操作とを近接した位置でおこなうことが可能となり、操作性が良好になる。
【００１０】
また、本発明の操作スイッチ付レジスタにおいて、上記変位部は上記回動ベゼル部の裏面側に周状に設けられたラックであり、上記スイッチ部は該ラックと直接的あるいは間接的に噛合するピニオン部を有する構成とすることもできる。
【００１１】
上記変位部は上記回動ベゼル部の裏面側に突出する突起であり、上記スイッチ部は該突起と係合する構成とすることもできる。
【００１２】
上記回動ベゼル部は上記表出部の裏面側に突出する筒部をもち、上記変位部は筒部の外周に螺旋状に設けられたガイドレールであり、上記スイッチ部は該ガイドレールと係合し往復運動する操作端を有するスライドスイッチである構成とすることもできる。
【００１３】
【発明の実施の形態】
本発明にかかる操作スイッチ付レジスタは、レジスタ部と、回転ベゼル部と、スイッチ部とを有するものである。
【００１４】
レジスタ部は、空調用空気の流路および吹き出し開口を構成する円筒状基体と該円筒状基体の内部に配置され該円筒状基体に対して回動自在に枢支されるフィン部材とを有する。
【００１５】
円筒状基体は、外周部が略円弧状の形状を持つものであればよく、例えば通常の略円筒形のリテーナー等を用いることができる。フィン部材は、空調用空気の風向を調整するための部材であり、一般には円筒状基体内に揺動自在に配置された互いに平行な複数の水平風向偏向板からなり、一般に手動により風向偏向板の角度を調節することで送風方向を調節可能とするものである。また、このようなフィン部材に、さらにエアダンパを設けることもできる。エアダンパは、一般に手動により駆動されて円筒状基体内の空気流路を開閉する部材であり、エアダンパをさらに設けることで、快適性の個人差などに応じてレジスタからの送風・停止を個々のレジスタ毎に制御することができる。これらフィン部材やエアダンパの構造は既知のものより適宜選択して使用することができる。
【００１６】
回転ベゼル部は、レジスタ部の円筒状基体の同軸上の外周側に配置され該円筒状基体の外周に表出するリング状の表出部をもち少なくとも表出部が該円筒状基体の周囲を回動する。
【００１７】
回転ベゼル部のうち表出部は、回動ベゼル部のうち車室内に表出する部分である。円筒状基体はインストルメントパネルに埋設されその一部が開口部となって車室内に表出するものであり、この円筒状基体の同軸上の外周側に配置される回動ベゼルもまたインストルメントパネルに埋設され、その一部、すなわちリング状の表出部が円筒状基体の外周部に表出することとなる。また、以下この回転ベゼルのうち表出部位外の部位を非表出部とする。
【００１８】
この回動ベゼルは円筒状基体全体の外周側に配置されるものであってもよいし、また、円筒状基体の表出部付近にのみ配置されて一部が表出するようなものであってもよい。
【００１９】
そして回動ベゼルは、後述するように、機能装置と電気的あるいは機械的に接続されるスイッチ部の切り替え駆動をおこなう操作部となることから、切り替え駆動の操作を良好なものとするために、リング状の外周部に所望の表示部を設けることが好ましい。この場合、さらにこの回動ベゼル部が埋設されるインストルメントパネルのうち回動ベゼル部の外周側に、回動ベゼル部の回動とスイッチ部の切換の程度を表す目盛りを表示することが好ましい。この場合、回動ベゼルの回動により表示部が回動ベゼルの周方向で移動してこの回動の大きさに応じた目盛り部を指すこととなり、スイッチの切り替え駆動の程度を視覚的に容易に把握することができる。さらに、夜間時など十分な光量のない条件下で切り替え駆動の操作をおこなうために、この表示部に蛍光塗料による表示を施すこともできるし、また、この表示部をＬＥＤランプ等の照明手段で構成することもできる。さらに、回動ベゼル部は所望の凹凸を持った構造とすることもできる。凹凸を持った構造とすることで、回動ベゼル部を回動させる際のグリップ性を向上させることや、意匠性を向上させることができる。
【００２０】
スイッチ部は、別設された機能装置と電気的あるいは機械的に接続される。ここで機能装置とは、例えばエアコンやレジスタの開閉の選択装置等の、種々の機能を有する種々の装置をいう。また、これに限らずカーステレオや光源等の機能装置をスイッチ部に接続することもできる。スイッチ部と機能装置との接続は既知の方法でおこなうことができる。
【００２１】
本発明の操作スイッチ付レジスタは、回動ベゼル部の非表出部に回動ベゼル部の回動に伴って変位する変位部をもつ。変位部は、回動ベゼル部の非表出部、すなわち表出部位外の部位に設けられるものである。例えば、回動ベゼル部の外周面や内周面、あるいは裏面側の端部などが変位部を配設するのに好適な部位となる。この変位部は、後述するスイッチ部との組み合わせで種々に形成することができる。
【００２２】
本発明の操作スイッチ付レジスタにおいて、スイッチ部は変位部の変位によって切り替え駆動される。ここで、変位部の変位は回動ベゼル部の回動に伴っておこなわれる機械的な変位であり、その変位運動は回動ベゼル部の回動と同じ回転運動である。このため、スイッチ部としてはこの回転運動によって切り替え駆動されるものや、回転運動を直線運動等に変換し変換された運動によって切り替え駆動されるもの、あるいはこの回転運動をセンサ等によって感知して電気信号に変換してこの電気信号によって切り替え駆動されるもの等を使用することができる。このような変位部とスイッチ部とは接触して配置することもできるし、非接触で配置することもできるし、特定位置でのみ接触するように配置することもできる。また変位部は、回動ベゼル部の周方向の全周にわたって間欠的に設けることもできるし、一部にのみ設けることもできる。
【００２３】
本発明の操作スイッチ付レジスタにおいて、変位部を回動ベゼル部の裏面側に周状に設けられたラックとし、スイッチ部にラックと直接的あるいは間接的に噛合するピニオンを設ける構成とすることができる。
【００２４】
ラックは回動ベゼル部の周方向の全周で設けることもできるし、また一部にのみ設けることもできる。また、ラックは回動ベゼル部の周方向に突出するように設けることもできるし、回動ベゼル部の裏面方向に突出するように設けることもできる。
【００２５】
ピニオンはラックと噛合可能な形状であればよく、その配置位置は特に限定されるものではないが、レジスタの通風を干渉しないためには回動ベゼルの外周部に配置されることが好ましい。このようなピニオンは、ラックの配置方向に対して平行に配置することもできるし、また、ラックの配置方向に所定の角度をもって配置することもできるが、配設スペースを小さくするためには円筒状基体の延びる方向に配置することが好ましい。
【００２６】
変位部をラックとしスイッチ部にピニオンを設ける場合、変位部であるラックを構成する複数の歯部が回動ベゼル部の回動に伴って回動し変位するが、このとき、このラックに対してピニオンが噛合することで、回動ベゼル部の回動により生じたラックの変位がピニオンに伝達されてピニオンが回転し、このピニオンの回転によってスイッチ部の切り替え駆動がおこなわれる。なお、ラックとピニオンは直接的に噛合するものであっても良いし、また、変速ギア等を介して間接的に噛合するものであっても良い。変速ギアを介する場合には、例えば、回転ベゼル部の回動が大きい場合でもピニオンの回転運動を小さいものとすることが可能となる。この場合、ピニオンの小さい回転運動で切り替え駆動がなされるような構成のスイッチ部を用いる場合でも、その切り替え駆動に微妙な操作を必要とせず、使用感はより良好なものとなる。
【００２７】
このような回転運動によって切り替えられるスイッチとしては既知のものを使用することができるが、例えばロータリースイッチが好適に使用される。
【００２８】
また、このピニオンの所定位置に係合穴を設けて、この係合穴にスライダーのスライド端部を係止させて、このスライダーにさらにスライドスイッチの操作端を取り付けすることもできる。この場合、ピニオンの回転運動がスライダーにより往復運動に変換されてスライドスイッチの切り替え駆動がおこなわれる。この場合、回転運動が直線運動に変換されるため、スイッチ部を機能装置に機械的に接続することが容易になる。
【００２９】
また、スライドスイッチとしては、通常のスライドスイッチの他にポテンシオメーター等の位置情報を電気情報に変換するようなものを使用することも可能である。この場合、切換を無段階でおこなうことができ、例えば、エアコン温度の調節や風量の調節等を所望のものとすることができる。
【００３０】
本発明の操作スイッチ付レジスタにおいて、変位部を回動ベゼル部の裏面側に突出する突起とし、スイッチ部をこの突起と係合させることもできる。この場合、回転ベゼル部の回動によって突起が変位することによってスイッチ部に係合し、このスイッチ部の駆動操作がおこなわれる。ここで用いられるスイッチ部としては、例えば、突起と係合した係合部が回転ベゼル部の回動に伴って回動し、係合部とは別に設けられた検知部がこの係合部の回転運動を検知可能であるようなものを用いることもできる。このようなスイッチ部としては、例えばロータリーエンコーダなどの回転運動を検知して電気情報に変換するようなものを好ましく使用することができる。
【００３１】
また例えば、スイッチ部を固定されたものとし、突起部が変位して所定位置に配置された場合のみ突起部がこのスイッチ部と係合し、突起部がその所定位置よりさらに変位した場合には係合が解除されるような構成として、係合時にのみスイッチ部の切り替え駆動がおこなわれるようなものを用いることもできる。このようなスイッチ部としては、突起部の変位方向に１つまたは複数が列設されたプッシュスイッチや、突起部の変位方向の一箇所の所定位置に配置された検出スイッチ等を好ましく用いることができる。
【００３２】
本発明の操作スイッチ付レジスタにおいて、回動ベゼル部を表出部の裏面側に突出する筒部をもつものとし、変位部を筒部の外周に螺旋状に設けられたガイドレールとして、スイッチ部をガイドレールと係合し往復運動する操作端を有するスライドスイッチとすることができる。この場合、ガイドレールにスライドスイッチの操作端をスライド係合させ、さらに、スライドスイッチの本体を固定配置することで、回動ベゼル部の回動に伴って筒部の外周に螺旋状に設けられたガイドレールが変位すると、このガイドレールにスライド係合された操作端が往復運動して切り替えスイッチの切り替え駆動がおこなわれる。ここで用いるスライドスイッチとしては、上述と同様に、通常のスライドスイッチやポテンシオメーター等が好適に用いられる。
【００３３】
また、本発明の操作スイッチ付レジスタにおいては、上述した種々の構成を適宜組み合わせて用いることも可能である。
【００３４】
【実施例】
以下、本発明の実施例を添付図面を基にして説明する。
【００３５】
（実施例１）
本発明の実施例１の操作スイッチ付レジスタは、変位部を回動ベゼル部の裏面側に周状に設けられたラックとし、スイッチ部が変速ギアを介してこのラックと間接的に噛合するピニオンを有する構成としたものである。また、本実施例１は、スイッチ部としてはロータリースイッチを用いるものである。本実施例１の操作スイッチ付レジスタが埋設されたインストルメントパネルを模式的に表す図を図１に示し、図１の操作スイッチ付レジスタが埋設されたインストルメントパネルの要部拡大模式斜視図を図２に示し、本実施例１の操作スイッチ付レジスタの模式側面図を図３に示す。
【００３６】
本実施例１の操作スイッチ付レジスタ１は、レジスタ部２と、レジスタ部２の円筒状基体３の同軸上の外周側に配置される回動ベゼル部４とを有する。レジスタ部２は、略円筒状の円筒状基体３をもつ。この円筒状基体３は開口内部６が空調用空気の流路となり、この開口内部６は図示しないエアコンの送風口に連結されている。また、この円筒状基体３は自動車のインストルメントパネル７に埋設され、開口端８によって車室内に連通されている。この開口端８が空調用空気の吹き出し開口９となる。円筒状基体３の開口内部６には図示しない枢支部が設けられ、円筒状基体３はこの枢支部によってフィン部材１２を開口内部６に２軸的に回動自在に枢支している。このフィン部材１２の回動によって空調用空気の流路が誘導され、空調用空気の風向が調整される。また、フィン部材１２は開口端８に対して略平行な角度にまで回動するように２軸的に回動自在に枢支されている。フィン部材１２が開口端８に略平行な角度にまで回動すると、開口端８はこのフィン部材１２によって閉じられる。すなわち、本実施例においては、フィン部材１２はダンパ様の機能をも有するものであり、風向の調整とともに吹き出し開口９の開閉をおこなうものである。
【００３７】
レジスタ部２の円筒状基体３の同軸上の外周側には回動ベゼル部４が配置されている。回動ベゼル部４は略円筒状の形状に形成され、リング状の表出部１４が円筒状基体３の外周に表出してその他の部分はインストルメントパネル７に回動自在に埋設されている。回動ベゼル部４の表出部１４のうちリング状の外周側には所定間隔の凹凸１６が形成され、この凹凸１６によって回動ベゼル部４のグリップ部１７が構成されている。さらに、回動ベゼル部４の表出部１４の所定位置にはＬＥＤ１９が埋設されて表示部２１を形成している。この表示部２１は図示しない電源に連結されている。
【００３８】
インストルメントパネル７のうち回動ベゼル部４の外周側には、目盛り２２が表示されている。この目盛り２２は後述するスイッチ部２３が接続されている機能装置に応じて表示され、スイッチ切り替えを視覚的に補助するものである。
【００３９】
回動ベゼル部４の裏面側２４には裏面方向に突出するようにラック２６が周状に設けられている。本実施例においてはこのラック２６が変位部２７となる。また、円筒状基体３のインストルメントパネル７に埋設された外周側面２８には変速ギア２９が配置されている。この変速ギア２９はラック２６と噛合するように配置された大径ピニオン部３１と、この大径ピニオン部３１と同軸で大径ピニオン部３１に対して平行に配置された小径ピニオン部３２とよりなり、この小径ピニオン部３２には小径ピニオン部３２よりも大径のピニオン３３が噛合されている。このピニオン３３の回転軸３４にはロータリースイッチ３６が配設されている。このロータリースイッチ３６は、回転部３７がピニオン３３の回転軸３４に連結され、本体３９が図示しない固定枠に固定されている。また、このロータリースイッチ３６は、図示しない機能装置に電気的に接続されている。本実施例１において、変速ギア２９，ピニオン３３およびロータリースイッチ３６でスイッチ部２３が構成される。
【００４０】
本実施例１の操作スイッチ付レジスタ１の操作は以下のようにおこなわれる。
【００４１】
先ず、手動にて回動ベゼル部４が回動されると、回動ベゼル部４の回動に伴って回動ベゼル部４の裏面側２４に設けられたラック２６が周方向に回動する。この回動によってラック２６と噛合している変速ギア２９の大径ピニオン部３１が回転し、この回転に伴って大径ピニオン部３１と同軸で配置されている小径ピニオン部３２が回転する。小径ピニオン部３２が回転すると、この小径ピニオン部３２と噛合しているピニオン３３が回転する。ピニオン３３の回転は、このピニオン３３の回転軸３４に配設されているロータリースイッチ３６の図示しない検知部に検知されてロータリースイッチ３６本体３９に配設されている図示しない信号部が切り替え駆動され、この信号部よりピニオン３３の回転に応じた電気信号が図示しない機能装置に送られて機能装置が制御される。
【００４２】
本実施例１の操作スイッチ付レジスタ１によると、回動ベゼル部４がレジスタ部２の周囲を回動し、この回動によってスイッチ部２３の切り替え駆動がおこなわれれる。したがって、回動ベゼル部４とレジスタ部２とは見かけ上一体的に配設されることとなり、別途操作スイッチを設ける場合よりもインストルメントパネル７上の見切り線が削減されることとなり、また、インストルメントパネル７上の配置スペースは小さいものとなる。さらに、レジスタの外周に回動ベゼル部４が配置されることでレジスタの操作とスイッチの切り替え駆動操作とが近接した位置でおこなわれるため操作性が良好になる。
【００４３】
また、本実施例１において、ラック２６とピニオン３３とは変速ギア２９を介して噛合していることから、スイッチ部２３の切り替え駆動に要するピニオン３３の回転が小さなものであっても、回動ベゼル部４の回動を大きくおこなうことができ、スイッチ部２３の切り替え駆動の操作性を良好なものとすることができる。
【００４４】
（実施例２）
本発明の実施例２の操作スイッチ付レジスタは、変位部を回動ベゼル部の裏面側に周状に設けられたラックとし、スイッチ部がこのラックと直接的に噛合するピニオンを有する構成とし、このピニオンにスライダーを介してスライドスイッチの操作端を取り付けする構成としたものである。本実施例２の操作スイッチ付レジスタにおいて、レジスタ部および回動ベゼル部は実施例１と同じものをもちいた。本実施例２の操作スイッチ付レジスタの模式側面図を図４に示す。
【００４５】
本実施例２の操作スイッチ付レジスタ４１では、回動ベゼル部４２のラック４３とピニオン４４とが直接噛合する。このピニオン４４の外周側の所定位置には係合穴４６が形成されている。この係合穴４６にはスライダー４７のスライド端部４８が係合されている。また、スライダー４７のスライド方向Ａの端側には、スライダーの係合穴４９が形成されている。このスライダーの係合穴４９にはスライドスイッチ５１の操作端部５２が係合されている。スライドスイッチ５１は図示しない固定枠に固定され、図示しない機能装置と電気的に接続されている。本実施例２のいて、ピニオン４４，スライダー４７およびスライドスイッチ５１でスイッチ部４５が構成されている。
【００４６】
本実施例２の操作スイッチ付レジスタ４１の操作は以下のようにおこなわれる。先ず、実施例１の操作スイッチ付レジスタと同様に回動ベゼル部４２の回動が手動にておこなわれると、この回動に伴ってラック４３が変位する。ラック４３の変位によって、このラック４３と噛合しているピニオン４４が回転し、さらに、ピニオン４４の回転に伴ってピニオン４４に設けられている係合穴４６が変位する。この係合穴４６にはスライダー４７のスライド端部４８が係合されているため、ピニオン４４の回転は係合穴４６よりスライダー４７に伝達される。ピニオン４４が回転する前のスライダの位置は図４中実線で示される。
【００４７】
ここで、このスライダー４７はスライダーの係合穴４９にてスライドスイッチ５１と係合され、かつこのスライドスイッチ５１は固定されているため、ピニオン４４の回転はスライダー４７のスライド端部４８のスライドとスライダの直線方向の変位とに変換される。そしてこの変換によって、図４中破線で示されるようにスライダー４７の直線方向の変位とともにスライドスイッチ５１の操作端部５２のスライドがおこなわれ、スライドスイッチ５１の切り替え駆動がおこなわれる。このスライドスイッチ５１の切り替え駆動は電気信号に変換され、スライドスイッチ５１に電気的に接続されている図示しない機能装置に送られて機能装置が制御される。
【００４８】
本実施例２の操作スイッチ付レジスタ４１によると、回動ベゼル部４２の回動により切り替えスイッチの切り替え駆動操作をおこなう構成に起因する効果に加えて、ピニオン４４の回転運動をスライダー４７により直線運動に変換したことで、スライドスイッチ５１等のスライド操作により切り替えされるスイッチに対応することが可能となる。
【００４９】
（実施例３）
本発明の実施例３の操作スイッチ付レジスタは、変位部を回動ベゼル部の裏面側に周状に設けられたラックとし、スイッチ部がこのラックと直接的に噛合するピニオン部を有する構成とし、このピニオン部の所定位置にピニオン部の周方向に突出するレバー部を設けこのレバー部の長尺方向に溝部を設けて、この溝部にポテンシオメーターの操作端を取り付けする構成としたものである。本実施例３において、レジスタ部および回動ベゼル部は実施例１と同じものをもちいた。本実施例３の操作スイッチ付レジスタの模式側面図を図５に示す。
【００５０】
本実施例３の操作スイッチ付レジスタ５６では、回動ベゼル部５７のラック５８とピニオン５９とが直接噛合する。このピニオン５９は周方向の一部にのみ歯部６１が形成されたものであり、歯部６１が形成されていない部分の所定位置には外周方向に延びる長尺状の腕部６２が形成され、この腕部６２には長尺方向に延びる長穴６３が形成されている。腕部６２の長穴６３にはスライドスイッチ６４の操作端部６６が長穴６３内をスライド可能に係合されている。また本実施例３においてはスライドスイッチ６４の操作端部６６のスライド方向Ｂと平行に操作端部６６のスライドによって押圧されるピストン部６７が設けられている。このピストン部６７は図示しない機能装置に連結されている。また、スライドスイッチ６４は図示しない固定枠部に固定されている。本実施例３において、ピニオン５９およびスライドスイッチ６４でスイッチ部６５が構成されている。
【００５１】
本実施例３の操作スイッチ付レジスタ５６の操作は以下のようにおこなわれる。先ず、実施例１の操作スイッチ付レジスタと同様に回動ベゼル部５７の回動が手動にておこなわれると、この回動に伴ってラック５８が変位する。ラック５８の変位によって、このラック５８と噛合しているピニオン５９が回転し、このピニオン５９の回転に伴ってピニオン５９に設けられている腕部６２が変位する。この腕部６２にはスライドスイッチ６４の操作端部６６が係合されているため、ピニオン５９の回転は腕部６２よりスライドスイッチ６４に伝達される。ここで、スライドスイッチ６４は腕部６２の長穴６３にスライド係合されていることから、ピニオン５９の回転は長穴６３中のスライドスイッチ６４の操作端部６６の変位とスライドスイッチ６４の操作端部６６の直線方向の変位とに変換される。そしてこの変換によって、図５中破線で示されるようにスライドスイッチ６４の操作端部６６のスライドがおこなわれ、スライドスイッチ６４の切り替え駆動がおこなわれる。また、本実施例３においてはスライドスイッチ６４の操作端部６６のスライドによってピストン部６７が押圧されて駆動される。このピストン部６７の駆動によって図示しない機能装置が制御される。
【００５２】
本実施例３の操作スイッチ付レジスタ５６によると、実施例２の効果に加えて機能装置を機械的に制御することが可能となる。
【００５３】
（実施例４）
本発明の実施例４の操作スイッチ付レジスタは、変位部を回動ベゼル部の裏面側に突出する突起とし、スイッチ部にはこの突起と係合し回動ベゼル部の回動に伴って回動する係合部と係合部の回動を検出する検知部とを設けた構成としたものである。本実施例４の操作スイッチ付レジスタにおいてスイッチ部はロータリーエンコーダーが用いられている。本実施例４において、レジスタ部は実施例１と同じものをもちいた。本実施例４の操作スイッチ付レジスタのうち回動ベゼル部およびスイッチ部の模式斜視図を図６に示す。
【００５４】
本実施例４の操作スイッチ付レジスタにおいて、回動ベゼル部６９は実施例１の回動ベゼル部と同じ表出部７１をもち、この回動ベゼル部６９には裏面側に突出する筒部７２が形成されている。また、筒部７２の外周面７３の所定位置には突起７４が突出している。
【００５５】
スイッチ部７６は、回動ベゼル部６９の筒部７２の外周面にほぼ沿った形状の内周面を有する略筒状の内筒部７７と内筒部７７の外周面にほぼ沿った形状の内周面を有する外筒部７８とを有し、内筒部７７は外筒部７８に対して回動可能に枢支されている。このスイッチ部７６の内筒部７７には回動ベゼル部６９の突起７４と対向する位置に突起７４と係合する係合部７９が設けられている。また、外筒部７８には内筒部７７の回動を検出する検知部（図示しない）が形成されている。この検知部は図示しない機能装置に電気的に接続されている。
【００５６】
本実施例４の操作スイッチ付レジスタの操作は以下のようにおこなわれる。先ず、実施例１の操作スイッチ付レジスタと同様に回動ベゼル部６９の回動が手動にておこなわれると、この回動に伴って突起７４が変位し、突起７４と係合している係合部７９が回動する。この回動が図示しない検知部によって検出され、この検知された回動の大きさに応じて図示しない機能装置に電気信号が送られて機能装置の制御がおこなわれる。本実施例４において、この検知部による検出と電気信号の送信とがスイッチ部７６の切り替え駆動となる。
【００５７】
本実施例４の操作スイッチ付レジスタによると、上述した実施例１〜３と同じ回動ベゼル部６９の回動により切り替えスイッチの切り替え駆動操作をおこなう構成に起因する効果を有する。
【００５８】
（実施例５）
本発明の実施例５の操作スイッチ付レジスタは、変位部を回動ベゼル部の裏面側に突出する突起とし、スイッチ部を固定された複数のプッシュスイッチとして、この突起とプッシュスイッチとが所定位置で係合する構成としたものである。本実施例５において、レジスタ部は実施例１と同じものをもちいた。本実施例５の操作スイッチ付レジスタのうち回動ベゼル部およびスイッチ部の模式斜視図を図７に示す。
【００５９】
本実施例５の操作スイッチ付レジスタにおいて、回動ベゼル部８２は実施例１の回動ベゼル部と同じ表出部８３をもち、この回動ベゼル部８２には裏面側に突出する筒部８４が形成されている。また、筒部８４のうち表出部８３側の部分は肉厚に形成されて大径部８６を構成している。大径部８６の所定位置には裏面方向に突起８７が突出している。
【００６０】
スイッチ部８８は、回動ベゼル部８２の筒部８４の大径部８６以外の部分の外周面にほぼ沿った形状の内周面を有する略筒状のスイッチ保持部８９と、このスイッチ保持部８９を収納可能な円筒状に形成されているカバー部９１とを有する。スイッチ保持部８９は回動ベゼルの筒部８４に挿通され、大径部８６に近接して配置されている。また、大径部８６の突起８７はこのスイッチ保持部８９と接している。スイッチ保持部８９のうち突起８７と接する表面には複数のプッシュスイッチ９２が突起８７の変位方向Ｃに沿って列設されている。また、各々のプッシュスイッチ９２は図示しない機能装置に電気的に接続されている。
【００６１】
本実施例５の操作スイッチ付レジスタの操作は以下のようにおこなわれる。先ず、実施例１の操作スイッチ付レジスタと同様に回動ベゼル部８２の回動が手動にておこなわれると、この回動に伴って突起８７が変位する。本実施例５の操作スイッチ付レジスタでは、突起８７と係合可能なプッシュスイッチ９２が突起８７の変位方向Ｃに沿って配置されていることから、突起８７が変位し各々のプッシュスイッチ９２の配置位置と対向する位置に配置されると、突起８７はその位置のプッシュスイッチ９２と係合し押圧することでプッシュスイッチ９２を切り替え駆動する。回動ベゼル部８２がさらに回動されると、突起８７はさらに変位し、プッシュスイッチ９２と突起８７との係合は解除される。そしてさらに回動ベゼル部８２の回動がおこなわれると、突起８７は次のプッシュスイッチ９２と係合する。この係合と解除とによってスイッチの切り替え駆動がおこなわれる。
【００６２】
本実施例５の操作スイッチ付レジスタによると、実施例４と同じ回転ベゼル部の回動により切り替えスイッチの切り替え駆動操作をおこなう構成に起因する効果を有する。
【００６３】
（実施例６）
本発明の実施例６の操作スイッチ付レジスタは、実施例５と同様に、変位部を回動ベゼル部の裏面側に突出する突起とし、スイッチ部を固定された複数のプッシュスイッチとして、この突起とプッシュスイッチとが所定位置で係合する構成としたものである。本実施例６において、レジスタ部は実施例１と同じものをもちいた。本実施例６の操作スイッチ付レジスタのうち回動ベゼル部およびスイッチ部の模式斜視図を図８に示す。
【００６４】
本実施例６の操作スイッチ付レジスタにおいて、回動ベゼル部９４は、突起１０２を外周方向に突出するように設けた以外は実施例５と同じ形状に形成されたものである。
【００６５】
スイッチ部９６は、回動ベゼル部９４の筒部１０１の大径部９７の外周面にほぼ沿って湾曲する断面略弧状のスイッチ保持部９８と、このスイッチ保持部９８を収納可能な断面略弧状に形成されているカバー部９９とを有する。スイッチ保持部９８は回動ベゼル部９４の筒部１０１のうち大径部９７に近接して配置されている。また、大径部９７の突起１０２はこのスイッチ保持部９８と接している。スイッチ保持部９８のうち突起１０２と接する湾曲内周面には複数のプッシュスイッチ１０３が突起１０２の変位方向Ｄに沿って列設されている。また、各々のプッシュスイッチ１０３は図示しない機能装置に電気的に接続されている。
【００６６】
本実施例６の操作スイッチ付レジスタの操作は実施例５と同様におこなわれる。また、本実施例６の操作スイッチ付レジスタによると、実施例５の効果に加えて操作スイッチ付レジスタの配設に要するスペースをより小さくすることが可能となる。
【００６７】
（実施例７）
本発明の実施例７の操作スイッチ付レジスタは、実施例６の切替スイッチ付レジスタの列設されたプッシュスイッチにかえて検出スイッチを用いるものである。本実施例７の操作スイッチ付レジスタは、検出スイッチを用いた以外は実施例６と同じ形状に形成されたものである。本実施例７の操作スイッチ付レジスタのうち回動ベゼル部およびスイッチ部の模式斜視図を図９に示す。
【００６８】
本実施例７の操作スイッチ付レジスタは、実施例６と同じ回動ベゼル部１０６を有する。回動ベゼル部１０６の大径部１０７の所定位置には、実施例６と同じ突起１０８が外周方向に突出するように設けられている。
【００６９】
スイッチ部１０９のスイッチ保持部１１１およびカバー部１１２は実施例６のスイッチ保持部およびカバー部と同じ形状に形成され、スイッチ保持部１１１は回動ベゼル部１０６の筒部１１３のうち大径部１０７に近接して配置されている。また、大径部１０７の突起１０８はこのスイッチ保持部１１１と接している。スイッチ保持部１１１のうち突起１０８と接する湾曲内周面には１個の検出スイッチ１１４が配設されている。この検出スイッチ１１４は、スイッチ保持部１１１に固定された図示しない切り替え部と、この切り替え部より大径部１０７方向に湾曲しつつ延びる係合部１１６とから構成されるリミットスイッチ１１７であり、図示しない機能装置に電気的に接続されている。この検出スイッチ１１４はこの係合部１１６が突起１０８と係合し切り替え部に当接することで切り替え駆動されるものである。
【００７０】
本実施例７の操作スイッチ付レジスタは、実施例６と同じ効果を有する。
【００７１】
（実施例８）
本発明の実施例８の操作スイッチ付レジスタは、回動ベゼル部を表出部の裏面側に突出する筒部をもつものとし、変位部を筒部の外周に螺旋状に設けられたガイドレールとし、スイッチ部にこのガイドレールと係合し直線運動する操作端をもつポテンシオメータを用いた構成としたものである。本実施例８の操作スイッチ付レジスタのうち回動ベゼル部およびスイッチ部の模式斜視図を図１０に示す。
【００７２】
本実施例８の操作スイッチ付レジスタにおいて、回動ベゼル部１１９は実施例１の回動ベゼル部と同じ表出部１２１をもち、この回動ベゼル部１１９には裏面側に突出する筒部１２２が形成されている。この筒部１２２の外周側には螺旋状の溝１２３が形成され、この溝１２３がガイドレール１２４を構成している。スイッチ部１２６は長尺状の図示しないスライド溝を操作端部１２８が直線的にスライドする形状のポテンシオメーター１２９で構成され、このポテンシオメーター１２９の操作端部１２８はガイドレール１２４にスライド係合されている。また、このポテンシオメーター１２９は図示しない固定枠部によって固定され、図示しない機能装置と電気的に接続されている。
【００７３】
本実施例８の操作スイッチ付レジスタの操作は以下のようにおこなわれる。先ず、実施例１の操作スイッチ付レジスタと同様に回動ベゼル部１１９の回動が手動にておこなわれると、この回動に伴ってガイドレール１２４が変位する。ガイドレール１２４の変位は、このガイドレール１２４にスライド係合されているポテンシオメーター１２９に伝達されるが、ポテンシオメーター１２９は固定枠部によって固定されていることから、この変位によってポテンシオメーター１２９の操作端部１２８のみが駆動され、ガイドレール１２４の回転運動が直線運動に変換されて、操作端部１２８はスライド溝内をスライド移動する。このスライド移動によってポテンシオメーター１２９の切り替え駆動がおこなわれ、ガイドレール１２４の変位の大きさが電気信号に変換されて図示しない機能装置に送られて機能装置の制御がおこなわれる。
【００７４】
本実施例８の操作スイッチによると、実施例４の回動ベゼル部１１９の回動により切り替えスイッチの切り替え駆動操作をおこなう構成に起因する効果に加えて、ポテンシオメーター１２９によって機能装置の無段階の切り替え制御が可能となり、機能装置をより微妙に制御することが可能となる。
【００７５】
【発明の効果】
以上述べてきたように、本発明の切り替えスイッチ付レジスタによると、スイッチ部の切り替え駆動を回転ベゼル部の回動によっておこなうことができ、かつ、この回転ベゼル部はレジスタの外周に配置されるため、回転ベゼル部とレジスタとは見かけ上一体的に配設されることとなり、インストルメントパネル上の見切り線を削減することが可能となる。また、回転ベゼル部とレジスタとは見かけ上一体的に配設されることから操作スイッチとレジスタとを別々に配設する場合と比べてインストルメントパネル上の配置スペースを小さくすることが可能となる。さらに、レジスタの外周に回転ベゼル部が配置されることでレジスタの操作とスイッチの切り替え駆動操作とを近接した位置でおこなうことが可能となり、操作性が良好になる。
【図面の簡単な説明】
【図１】本発明の実施例１の操作スイッチ付レジスタが埋設されたインストルメントパネルを模式的に表す図である。
【図２】図１の操作スイッチ付レジスタが埋設されたインストルメントパネルの要部拡大模式斜視図である。
【図３】本発明の実施例１の操作スイッチ付レジスタの模式側面図である。
【図４】本発明の実施例２の操作スイッチ付レジスタの模式側面図である。
【図５】本発明の実施例３の操作スイッチ付レジスタの模式側面図である。
【図６】本発明の実施例４の操作スイッチ付レジスタのうち回動ベゼル部およびスイッチ部の模式斜視図である。
【図７】本発明の実施例５の操作スイッチ付レジスタのうち回動ベゼル部およびスイッチ部の模式斜視図である。
【図８】本発明の実施例６の操作スイッチ付レジスタのうち回動ベゼル部およびスイッチ部の模式斜視図である。
【図９】本発明の実施例７の操作スイッチ付レジスタのうち回動ベゼル部およびスイッチ部の模式斜視図である。
【図１０】本発明の実施例８の操作スイッチ付レジスタのうち回動ベゼル部およびスイッチ部の模式斜視図である。
【符号の説明】
１：操作スイッチ付レジスタ　２：レジスタ部　３：円筒状基体　４：回動ベゼル部　７：インストルメントパネル　９：吹き出し開口　１２：フィン部材　１４：表出部　２１：表示部　２２：目盛り　２３：スイッチ部　２６：ラック　２７：変位部　２９：変速ギア　３３：ピニオン　３６：ロータリースイッチ
４１：操作スイッチ付レジスタ　４２：回動ベゼル部　４３：ラック　４５：スイッチ部　４４：ピニオン　４６：係合穴　４７：スライダー　５１：スライドスイッチ
５６：操作スイッチ付レジスタ　５７：回動ベゼル部　５８：ラック　５９：ピニオン　６４：スライドスイッチ　６５：スイッチ部
６９：回動ベゼル部　７１：表出部　７２：筒部　７４：突起　７６：スイッチ部
８２：回動ベゼル部　８３：表出部　８４：筒部　８６：大径部　８７：突起　８８：スイッチ部　９２：プッシュスイッチ
９４：回動ベゼル部　９６：スイッチ部　９７：大径部　１０１：筒部　１０２：突起　１０３：プッシュスイッチ
１０６：回動ベゼル部　１０７：大径部　１０８：突起　１０９：スイッチ部　１１３：筒部　１１４：検出スイッチ　１１７：リミットスイッチ
１１９：回動ベゼル部　１２１：表出部　１２２：筒部　１２３：溝　１２４：ガイドレール　１２６：スイッチ部　１２９：ポテンシオメーター
【図１】
2004090830.tif 000003
【図２】
2004090830.tif 000004
【図３】
2004090830.tif 000005
【図４】
2004090830.tif 000006
【図５】
2004090830.tif 000007
【図６】
2004090830.tif 000008
【図７】
2004090830.tif 000009
【図８】
2004090830.tif 000010
【図９】
2004090830.tif 000011
【図１０】
2004090830.tif 000012